(57)【要約】【課題】  光ファイバを余長収納トレイから取り出し易くする。【解決手段】  トレイ底板２の周縁に側壁３、４を備えるとともに、トレイ長手方向両側における幅方向両側又は片側に光ファイバ導入部５を備え、内部に光接続部７及び余長収納部８を備えたプラスチック製の余長収納トレイ２１において、余長収納トレイ２１の全周又は一部の側壁３、４の下部内側のコーナー部２８にアールをつける。光ファイバ接続の切換作業などで、余長収納トレイ２１から光ファイバを取り出す際、光ファイバがコーナー部で引っ掛かるような抵抗を受けることはなく滑らかに滑るので、光ファイバの取り出しが容易になり、光ファイバ取出し作業の作業性が向上し、作業時間短縮が図られる。また、コーナー部で抵抗すなわち外力を受けないので、光ファイバが損傷することを防止できる。【選択図】  図１
2006215229.tif 000002
【特許請求の範囲】
【請求項１】
トレイ底板の周縁に側壁を備えるとともに、トレイ長手方向両側における幅方向両側又は片側に光ファイバ導入部を備え、内部に光接続部及び余長収納部を備えたプラスチック製の余長収納トレイにおいて、
余長収納トレイの全周又は一部の側壁の下部内側のコーナー部にアールをつけたことを特徴とする余長収納トレイ。
【請求項２】
前記光ファイバ導入部は仕切り板で仕切られた複数の光ファイバ導入口を備え、各光ファイバ導入口における仕切り板下部のコーナー部にアールをつけたことを特徴とする請求項１記載の余長収納トレイ。
【発明の詳細な説明】
【技術分野】
【０００１】
この発明は、例えば光クロージャ等において、光ファイバどうしの光接続部および余長を収納する余長収納トレイに関する。
【背景技術】
【０００２】
光線路における光ファイバケーブルの接続個所に設置される光クロージャとして、光ファイバどうしの光接続部および余長収納部を持つ余長収納トレイを内部に配置するトレイ方式のメカニカル光クロージャが広く採用されている。
【０００３】
ところで、近年ＦＴＴＨが進み、光クロージャ内で光ファイバ接続の切換えを行う切換作業その他、光ファイバを取り扱う作業が多くなっているが、光クロージャにおける光ファイバの取り扱いに際して、余長収納トレイから光ファイバを取り出す作業は必ずしも簡単ではない。光クロージャ作業の作業能率を向上させるためには、余長収納トレイから光ファイバを取り出す作業の作業性を向上させて作業時間短縮を図る必要がある。
【０００４】
この種の従来の余長収納トレイの一例を図９に示す。この余長収納トレイ１は、ポリプロピレン等のプラスチック成形品であり、細長い概ね長円状のトレイ底板２の周囲に側壁３、４を備えている。図示例ではトレイ長手方向両側におけるトレイ幅方向片側に光ファイバ導入部５が設けられており、その光ファイバ導入部５側の直線状の側壁を符号３で示し、トレイ長手方向両側の円弧状部４ａと両者をつなぐ直線部４ｂとからなる側壁を符号４で示す。図示例の余長収納トレイ１は、トレイ長手方向両側の各光ファイバ導入部５が１つの光ファイバ導入口５ａのみからなる構造である。また、内部の中央部に、光ファイバどうしの融着接続部を保持するための保持リブ６を複数設けた光接続部７を備え、その両側に光ファイバの余長を収納するためのスペースである余長収納部８を備えている。側壁４の上縁部の複数個所から心線押さえ用舌片１０がそれぞれ内方に延出している。なお、トレイ底板２の心線押さえ用舌片１０の下方位置は穴２ａとなっている。
従来の余長収納トレイ１は、図９のＣ−Ｃ断面図である図１０にも示すように、側壁３（あるいは４）の下部内側のコーナー部１３が、通常の箱型のプラスチック成形品を成形する際に一般に採用されるような単なる直角のコーナー部であった。図１０中の符号１１は光ファイバを示す。
【特許文献１】特願平１１−２１８８１の図１
【発明の開示】
【発明が解決しようとする課題】
【０００５】
余長収納トレイは、光ファイバをトレイから飛び出さないように収納する必要があることから、光クロージャ設置後の切換作業等に際して光ファイバを取り出すことを特に考慮した構造とはされていない。側壁の下部内側のコーナー部１３が直角な従来の余長収納トレイ１では、光ファイバ１１を取り出す際に光ファイバが直角なコーナー部１３を滑らかに滑らず引っ掛かるような抵抗を受ける場合があり、光ファイバ１１が取り出しにくいという問題がある。
また、光ファイバがコーナー部で引っ掛かるような抵抗を受ける場合には、光ファイバに外力が作用しているので、光ファイバが損傷する恐れがある。
本発明は上記従来の欠点を解消するためになされたもので、光ファイバを余長収納トレイから取り出し易くして、光ファイバ取出し作業の作業性を向上させ、作業時間短縮を図り、また光ファイバを引き出す際に光ファイバが損傷することを防止することを目的とする。
【課題を解決するための手段】
【０００６】
上記課題を解決する本発明は、トレイ底板の周縁に側壁を備えるとともに、トレイ長手方向両側における幅方向両側又は片側に光ファイバ導入部を備え、内部に光接続部及び余長収納部を備えたプラスチック製の余長収納トレイにおいて、
余長収納トレイの全周又は一部の側壁の下部内側のコーナー部にアールをつけたことを特徴とする。
【０００７】
請求項２は、請求項１の余長収納トレイにおいて、光ファイバ導入部が仕切り板で仕切られた複数の光ファイバ導入口を備え、各光ファイバ導入口における仕切り板下部のコーナー部にアールをつけたことを特徴とする。
【発明の効果】
【０００８】
本発明によれば、余長収納トレイの側壁の下部内側のコーナー部にアールが付けられているので、余長収納トレイから光ファイバを取り出す際、光ファイバがコーナー部で引っ掛かるような抵抗を受けることはなく滑らかに滑り、光ファイバが取り出しにくいという問題は生じない。したがって、光ファイバ取出し作業の作業性が向上し、作業時間短縮が図られる。
また、光ファイバを引き出す際に、コーナー部で抵抗すなわち外力を受けないので、光ファイバが損傷することを防止できる。
【発明を実施するための最良の形態】
【０００９】
以下、本発明を実施した余長収納トレイについて、図面を参照して説明する。
【実施例１】
【００１０】
図１は本発明の一実施例の余長収納トレイ２１の斜視図である。図２は図１の余長収納トレイ２１の平面図であり、併せて光ファイバの収納状態を模式的に示している。この余長収納トレイ２１は、ポリプロピレン等のプラスチック成形品であり、細長い概ね長円状のトレイ底板２の周囲に側壁３、４を備えている。図示例ではトレイ長手方向両側におけるトレイ幅方向片側に光ファイバ導入部５が設けられており、その光ファイバ導入部５側の直線状の側壁を符号３で示し、トレイ長手方向両側の円弧状部４ａと両者をつなぐ直線部４ｂとからなる側壁を符号４で示す。図示例の余長収納トレイ２１は、トレイ長手方向両側の各光ファイバ導入部５が１つの光ファイバ導入口５ａのみからなる構造（すなわち光ファイバ導入部５＝光ファイバ導入口５ａ）である。また、内部の中央部に、光ファイバ１１どうしの融着接続部２０を保持するための保持リブ６を複数設けた光接続部７を備え、その両側に光ファイバ１１の余長を収納するためのスペースである余長収納部８を備えている。２２は光ファイバケーブルを示す。側壁４の上縁部の複数個所から心線押さえ用舌片１０がそれぞれ内方に延出している。なお、トレイ底板２の心線押さえ用舌片１０の下方位置は穴２ａとなっている。
余長収納トレイ２１のトレイ幅方向片側の側壁３の外面にはヒンジ部２５が設けられ、他側の側壁（側壁４の直線部４ｂ）には、係合爪２６および係合凹部２７が設けられている。この余長収納トレイ２１は光クロージャ内で積層して設置されるが、積層された各余長収納トレイ２１は上下に隣接するものどうしが前記ヒンジ部２５で開閉可能に連結され、そして、前記係合爪２６と係合凹部２７で上下に隣接する余長収納トレイ２１どうしがロックされる。
【００１１】
本発明では余長収納トレイ２１の側壁の下部内側のコーナー部にアールを付けるが、この実施例では、図３、図４にも示すように余長収納トレイ２１の全周の側壁３、４（なお側壁４は図３、図４には表れない）の下部内側のコーナー部２８にアールを付けている。但し、アールは余長収納トレイ２１の全周でなく、光ファイバの取り出しを円滑にするために必要な個所のみに付けてもよい。
このアールは、通常の箱型のプラスチック成形品を成形する際に一般に採用されるような単なる直角のコーナー部のアールより十分大きなアールであって、光ファイバがこのコーナー部に沿って円滑に滑るようなアール、あるいは、光ファイバがこのコーナー部に入り込まないようなアールである。また、光ファイバ（例えば径０．２５ｍｍの光ファイバ素線、あるいは外径０．９ｍｍの光ファイバ心線など）の半径より小さくないアールが好ましい。
【００１２】
上記の余長収納トレイ２１において、例えば光ファイバ接続の切換作業を行う場合、対象とする光ファイバ１１をその光接続部６とともに余長収納トレイ２１から外に取り出し、光クロージャの外で光接続部６を除去し、互いに接続すべき光ファイバどうしの融着接続を行った後、再び余長収納トレイ２１内に収容する。この余長収納トレイ２１は側壁３、４の下部内側のコーナー部２８にアールが付けられているので、前記光ファイバ切換作業における光ファイバ１１の取り出し作業に際して、光ファイバ１１がコーナー部２８で引っ掛かるような抵抗を受けることはなく滑らかに滑り、光ファイバが取り出しにくいという問題は生じない。したがって、光ファイバ取出し作業の作業性が向上し、作業時間短縮が図られる。
また、前記のように、光ファイバ１１を引き出す際に、コーナー部で抵抗すなわち外力を受けないので、光ファイバが損傷することを防止できる。
また、従来の余長収納トレイの形状の一部（すなわちコーナー部）を変更するだけであり、従来構造の簡単な改良で実現できるので、容易に本発明を適用できる。したがって、コスト増を招くことなく従来の欠点を改善できる。
【実施例２】
【００１３】
図５に示すように、側壁３と対向して光ファイバ導入口５ａを形成する側壁部分（側壁４の円弧状部４ａの端部近傍）の下部のコーナー部２９にも、前記と同様にアールを付けることができる。
このコーナー部２９のアールも、前記と同様に光ファイバ１１の取り出しを円滑にするために有効である。
【実施例３】
【００１４】
図６に示した余長収納トレイ３１は、基本構造としては前述の余長収納トレイ２１と同様であり、共通する部分は同じ符号を付して説明を省略するが、細長い概ね長円状のトレイ底板２のトレイ幅方向の両側に直線状の側壁３３を備え、トレイ長手方向両側に余長収納部８を形成する円弧状の側壁３４を備えており、トレイ長手方向両側におけるトレイ幅方向両側に（すなわち４ヶ所に）光ファイバ導入部３５を備えている。また、各光ファイバ導入部３５は仕切り板３７により仕切られた複数の光ファイバ導入口３５ａを備えている。
【００１５】
この余長収納トレイ３１も、前記と同様に、図７にも示すように余長収納トレイ３１の全周の側壁３３、３４（なお側壁３４は図７には表れない）の下部内側のコーナー部３８にアールを付けている。但し、アールは全周でなく必要個所のみに付けてもよい。
【００１６】
この余長収納トレイ３１においても、側壁３３、３４の下部内側のコーナー部３８にアールが付けられていることで、前記と同様、光ファイバが取り出しにくいという問題は生じない。
【実施例４】
【００１７】
上記余長収納トレイ３１の光ファイバ導入部３５は、仕切り板３７で仕切られた複数の光ファイバ導入口３５ａを備えているが、図８に示すように、各光ファイバ導入口３５ａにおける仕切り板下部のコーナー部３９にもアールをつけることができる。
仕切り板３７の下部のコーナー部３９のアールも、前記と同様に光ファイバ１１の取り出しを円滑にするために有効である。
【００１８】
本発明の余長収納トレイは光クロージャに積層配置する余長収納トレイに適用して好適であるが、積層しない場合にも当然適用することができ、さらに、用途としては光クロージャに限らず種々の場合が考えられる。
また、本発明において、余長収納トレイ内に導入される光ファイバの種類ないし形態は特に限定されず、光ファイバ心線の状態で導入される場合に限らず、いわゆる光ファイバコードの状態で導入される場合にも適用できる。
【図面の簡単な説明】
【００１９】
【図１】本発明の一実施例の余長収納トレイの斜視図である。
【図２】図１の余長収納トレイの平面図であり、併せて光ファイバの収納状態を模式的に示している。
【図３】図１のＡ−Ａ拡大断面図である。
【図４】図１における光ファイバ導入口近傍の一部分を切り取って示した斜視図である。
【図５】上記余長収納トレイにおいて、アールを付ける個所についての他の実施例を示すもので、図３に相当する図である。
【図６】他の実施例の余長収納トレイを示す斜視図である。
【図７】図６の要部のＢ矢視図である。
【図８】図６の余長収納トレイにおいて、アールを付ける個所についての他の実施例を示すもので、図７に相当する図である。
【図９】従来の余長収納トレイの斜視図である。
【図１０】図９のＣ−Ｃ拡大断面図である。
【符号の説明】
【００２０】
２    トレイ底板
３、４、３３、３４  側壁
４ａ  （側壁４の）円弧状部
４ｂ  （側壁４の）直線部
５、３５      光ファイバ導入部
５ａ、３５ａ  光ファイバ導入口
６    保持リブ
７    光接続部
８    余長収納部
１１  光ファイバ
２１、３１  余長収納トレイ
２２    光ファイバケーブル
３７    仕切り板
２８、３８  （側壁の下部内側の）コーナー部
２９、３９  （仕切り板の下部の）コーナー部
【図１】
2006215229.tif 000003
【図２】
2006215229.tif 000004
【図３】
2006215229.tif 000005
【図４】
2006215229.tif 000006
【図５】
2006215229.tif 000007
【図６】
2006215229.tif 000008
【図７】
2006215229.tif 000009
【図８】
2006215229.tif 000010
【図９】
2006215229.tif 000011
【図１０】
2006215229.tif 000012